(57)【要約】      （修正有）【課題】通販業者の営業努力でお客さんを獲得することができ、かつ通販業者の営業分野の拡大を図ることができる美容やマッサージ等のサービスを体験させる方法の提供。【解決手段】通販業者が美容やマッサージ等を行なう業者と該通販業者のお客さんに体験サービスをしてもらうための契約を行ない、通販業者が体験サービスを受けることができる体験サービス券の販売広告を通販カタログに掲載して配布し、体験サービス券所有者が体験サービス契約を行なったサービス業者から体験サービス券と引き換えによりサービスを受ける、体験サービスを行なったサービス業者は受け取った体験サービス券で通販業者と精算する。【選択図】  図１
2004322389.tif 000002
【特許請求の範囲】
【請求項１】
通販業者が美容やマッサージ等を行なう業者と該通販業者のお客さんに体験サービスをしてもらうための契約を行なう体験サービス契約工程と、この体験サービス契約工程後に前記通販業者が体験サービスを受けることができる体験サービス券の販売広告を通販カタログに掲載して配布する通販カタログの配布工程と、この通販カタログの配布工程後に体験サービス券の購入者あるいは購入者からプレゼントされた者が前記体験サービス契約を行なった美容やマッサージ等を行なう業者から体験サービス券と引き換えにより、美容やマッサージ等のサービスを受ける体験サービス工程と、この体験サービスを行なった美容やマッサージ等の業者は受け取った体験サービス券で前記通販業者と精算する精算工程とを含むことを特徴とする美容やマッサージ等のサービスを体験させる方法。
【請求項２】
通販業者が美容やマッサージ等を行なう業者と該通販業者のお客さんに体験サービスをしてもらうための契約を行なう体験サービス契約工程と、この体験サービス契約工程後に前記通販業者が体験サービスを受けることができるあるいは体験サービスに代え商品を受け取ることができる体験サービス券の販売広告を通販カタログに掲載して配布する通販カタログの配布工程と、この通販カタログの配布工程後に体験サービス券の購入者あるいは購入者からプレゼントされた者が前記体験サービス契約を行なった美容やマッサージ等を行なう業者から体験サービス券と引き換えにより、美容やマッサージ等を受けたりあるいは体験サービスに代えて商品を受け取る体験サービスあるいは商品受取り工程と、この体験サービスを行なった美容やマッサージ等の業者は受け取った体験サービス券で前記通販業者と精算する精算工程とを含むことを特徴とする美容やマッサージ等のサービスを体験させる方法。
【発明の詳細な説明】
【０００１】
【発明の属する技術分野】
本発明は美容やマッサージ、陶芸、乗馬、フラワーアレンジメント、手芸、ゴルフ、食事コース、フィットネスクラブ、スポーツジム、その他、趣味、各種教室等のサービスを体験させる方法に関する。
【０００２】
【従来の技術】
従来、エステ、マッサージ、美容、ネイルアート、動物の美容やシヤンプー等のサービスを行なう業者は、それぞれ宣伝、広告等の営業努力を行なって経営している。
【０００３】
【発明が解決しようとする課題】
従来の美容やマッサージ等のサービスは宣伝、広告だけで利用するには抵抗があり、利用しづらいという欠点があるとともに、これらのサービス業者にとっては自力で宣伝、広告等の営業努力をしなければお客を集めることができないという欠点があった。
【０００４】
本発明は以上のような従来の欠点に鑑み、美容やマッサージ等のサービスを気軽に安心して利用することができるとともに、これらの業者も通販業者の営業努力でお客さんを獲得することができ、かつ通販業者の営業分野の拡大を図ることができる美容やマッサージ等のサービスを体験させる方法を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのもであって、本発明の技術的範囲を限定するものではない。
【０００６】
【課題を解決するための手段】
上記目的を達成するために、本発明は通販業者が美容やマッサージ等を行なう業者と該通販業者のお客さんに体験サービスをしてもらうための契約を行なう体験サービス契約工程と、この体験サービス契約工程後に前記通販業者が体験サービスを受けることができる体験サービス券の販売広告を通販カタログに掲載して配布する通販カタログの配布工程と、この通販カタログの配布工程後に体験サービス券の購入者あるいは購入者からプレゼントされた者が前記体験サービス契約を行なった美容やマッサージ等を行なう業者から体験サービス券と引き換えにより美容やマッサージ等のサービスを受ける体験サービス工程と、この体験サービスを行なった美容やマッサージ等の業者は受け取った体験サービス券で前記通販業者と精算する精算工程とで美容やマッサージ等のサービスを体験させる方法を構成している。
【０００７】
【発明の実施の形態】
以下、図面に示す実施の形態により、本発明を詳細に説明する。
【０００８】
図１ないし図５に示す本発明の第１の実施の形態において、１は通販業者２と、動物の美容やシャンプー、エステ、ネイルアート、美容やマッサージ、陶芸、乗馬、フラワーアレンジメント、手芸、ゴルフ、食事コース、フィットネスクラブ、スポーツジム、その他、趣味、各種教室等のサービスを行なっているサービス業者３とで、該通販業者２のお客さんに体験サービスをしてもらうための契約を行なう体験サービス契約工程で、この体験サービス契約工程１の契約内容は通販業者とサービス業者との役割分担、金銭等についてである。
【０００９】
４は前記体験サービス契約工程１後に、前記通販業者２が体験サービスを受けることができる体験サービス券５の販売、広告を通販カタログ６に掲載して配布する通販カタログの配布工程で、この通販カタログの配布工程４は従来の商品を通販するカタログ内に体験サービス券の販売、広告を掲載して行なう。
【００１０】
７は前記通販カタログの配布工程４後に体験サービス券５の購入者あるいは購入者からプレゼントされた者等の体験サービス券所持者８が、前記体験サービス契約を行なった美容やマッサージ等を行なうサービス業者３から体験サービス券５と引き換えにより、美容やマッサージ等のサービスを受ける体験サービス工程で、この体験サービス工程７は体験サービス券５や利用説明書に記載されている内容で、体験サービス券所持者８が予約を入れたり、直接出向いてそのサービスを受ける。
【００１１】
９は前記体験サービス工程７で体験サービスを行なった美容やマッサージ等のサービス業者３は、受け取った体験サービス券５で前記通販業者２と精算する精算工程で、この精算工程９は体験サービス契約に基づいて行なう。
【００１２】
上記の美容やマッサージ等のサービスを体験させる方法は、通販業者が利用者と体験サービス業者との間に入るため、安心して体験サービスを受けてみることができるとともに、ギフト券としても使用できる。
また、通販業者は商品以外の美容やマッサージ等のサービスを商品と同様に販売することができ、販売分野の拡大を図ることができる。
【００１３】
【発明の異なる実施の形態】
次に、図６ないし図８に示す本発明の異なる実施の形態につき説明する。なお、この本発明の異なる実施の形態の説明に当って、前記本発明の第１の実施の形態と同一構成部分には同一符号を付して重複する説明を省略する。
【００１４】
図６ないし図８に示す本発明の第２の実施の形態において、前記本発明の第１の実施の形態と主に異なる点は、体験サービスと体験サービスに代え、商品を受け取ることができる体験サービス券５Ａの販売、広告を通販カタログに掲載して配布する通販カタログの配布工程４Ａと、体験サービス券５Ａで体験サービスを受けたり、あるいは商品を受け取る体験サービスあるいは商品受け取り工程１０とを用いた点で、このような各工程を用いた美容やマッサージ等のサービスを体験させる方法にしても、前記本発明の第１の実施の形態と同様な作用効果が得られる。
【００１５】
【発明の効果】
以上の説明から明らかなように、本発明にあっては次に列挙する効果が得られる。
【００１６】
（１）通販業者が美容やマッサージ等を行なう業者と該通販業者のお客さんに体験サービスをしてもらうための契約を行なう体験サービス契約工程と、この体験サービス契約工程後に前記通販業者が体験サービスを受けることができる体験サービス券の販売広告を通販カタログに掲載して配布する通販カタログの配布工程と、この通販カタログの配布工程後に体験サービス券の購入者あるいは購入者からプレゼントされた者が前記体験サービス契約を行なった美容やマッサージ等を行なう業者から体験サービス券と引き換えにより、美容やマッサージ等のサービスを受ける体験サービス工程と、この体験サービスを行なった美容やマッサージ等の業者は受け取った体験サービス券で前記通販業者と精算する精算工程とからなるので、美容やマッサージ等のサービス業者と体験者との間に通販業者が介在するため、体験者は安心して体験サービスを受けることができる。
【００１７】
（２）前記（１）によって、通販業者は通販の領域の拡大を図ることができ、効率のよい通販を行なうことができる。
【００１８】
（３）前記（１）によって、美容やマッサージ等のサービス業者は通販業者の通販カタログによる広告によってお客さんの獲得を図ることができる。
したがって、広告宣伝費を低減させることができる。
【００１９】
（４）前記（１）によって、体験サービス券をギフトとして利用することができ、ギフトの範囲を拡大させることができる。
【００２０】
（５）請求項２も前記（１）〜（４）と同様な効果が得られるとともに、美容やマッサージ等の体験サービスが不要な人は商品を受け取ることができ、無駄になるのを効率よく阻止することができる。
【図面の簡単な説明】
【図１】本発明の第１の実施の形態の工程図。
【図２】本発明の第１の実施の形態の体験サービス契約工程の説明図。
【図３】本発明の第１の実施の形態の通販カタログの配布工程の説明図。
【図４】本発明の第１の実施の形態の体験サービス工程の説明図。
【図５】本発明の第１の実施の形態の精算工程の説明図。
【図６】本発明の第２の実施の形態の工程図。
【図７】本発明の第２の実施の形態の通販カタログの配布工程の説明図。
【図８】体験サービスあるいは商品受け取り工程の説明図。
【符号の説明】
１：体験サービス契約工程、
２：通販業者、          ３：サービス業者、
４、４Ａ：通販カタログの配布工程、
５、５Ａ：体験サービス券、
６：通販カタログ、      ７：体験サービス工程、
８：体験サービス券所持者、
９：精算工程、
１０：体験サービスあるいは商品受け取り工程。
【図１】
2004322389.tif 000003
【図２】
2004322389.tif 000004
【図３】
2004322389.tif 000005
【図４】
2004322389.tif 000006
【図５】
2004322389.tif 000007
【図６】
2004322389.tif 000008
【図７】
2004322389.tif 000009
【図８】
2004322389.tif 000010